(57)【要約】【課題】現場での取扱いが容易であり、壁ユニットの保管に広いスペースを必要とせず、しかも、トラックによる輸送効率も向上できる組立ハウスを提供する。【解決手段】本発明の組立ハウスは、複数に分割された壁ユニット１，１−１，１−２…を基礎Ｋの上面に順に連接してドーム状に組み立てるようにした組立ハウスＨであって、前記壁ユニット１は基礎Ｋの上面に立設される側壁部２と該側壁部２の上端部に折畳み自在に軸着される屋根壁部３とからなり、前記側壁部２に対し屋根壁部３を拡開した状態で該側壁部２に該屋根壁部３を固着する固着手段を備えた構成からなる。【選択図】図３
2005315025.tif 000002
【特許請求の範囲】
【請求項１】
複数に分割された壁ユニットを基礎の上面に順に連接してドーム状に組み立てるようにした組立ハウスであって、前記壁ユニットは前記基礎の上面に立設される側壁部と該側壁部の上端部に折畳み自在に軸着される屋根壁部とからなり、前記側壁部に対し屋根壁部を拡開した状態で該側壁部に該屋根壁部を固着する固着手段を備えたことを特徴とする組立ハウス。
【発明の詳細な説明】
【技術分野】
【０００１】
本発明は、宿泊施設、介護施設、社員寮、レンタル施設、倉庫、店舗等の建物として利用され、複数に分割された壁ユニットを基礎の上面に順に連接してドーム状に組み立てるようにした組立ハウスに関するものである。
【背景技術】
【０００２】
ドーム状に組み立てる組立ハウスとしては、例えば、次のようなものがある。すなわち、この組立ハウスは、複数に分割されたＦＲＰ製の壁ユニットを、基礎である固定台の上にボルト締付手段により取り付けると共に壁ユニット相互の下部を連結板で、また、上部を支持枠で連結固定し、前記支持枠を二本の支柱により支えるようにした構成からなっている（例えば、特許文献１参照。）。
【特許文献１】特開２０００−１２０１７１号公報（第３−６頁、図４、図１１）
【発明の開示】
【発明が解決しようとする課題】
【０００３】
前記特許文献１の組立ハウスでは、各壁ユニットが工場で生産されるも、この壁ユニットは側壁部と屋根壁部とが一体成形により成形されることから、仮に、組立ハウスが大きいと、その分壁ユニットも大型化する。このように、壁ユニットが大型化すると、組立ハウスの施工に際し現場での取り扱いに苦慮し、作業能率を上げるに障害となっている。また、保管に広いスペースが必要になるばかりか、工場から現地までトラック輸送する場合空白面積が多くなるため輸送効率が極めて悪いという課題がある。
【０００４】
そこで、本発明は上記課題を解決すべくなされたもので、現場での取扱いが容易であり、壁ユニットの保管に広いスペースを必要とせず、しかも、トラックによる輸送効率も向上できる組立ハウスを提供することを目的とするものである。
【課題を解決するための手段】
【０００５】
かかる目的を達成するため本発明に係る組立ハウスは、複数に分割された壁ユニットを基礎の上面に順に連接してドーム状に組み立てるようにした組立ハウスであって、前記壁ユニットは基礎の上面に立設される側壁部と該側壁部の上端部に折畳み自在に軸着される屋根壁部とからなり、前記側壁部に対し屋根壁部を拡開した状態で該側壁部に該屋根壁部を固着する固着手段を備えた構成からなる。
【発明の効果】
【０００６】
本発明は、壁ユニットを構成する側壁部と屋根壁部とが分離して成形されると共に側壁部の上端部に屋根壁部を折畳み自在に軸着してなるので、施工に際し壁ユニットを折り畳んで小型化して取り扱えることとなり、その取扱いが容易になる。また、壁ユニットを折り畳んでおけばその保管に広いスペースを必要とすることが無く、トラック輸送する場合も壁ユニットが小型化できて輸送効率が良くなるという効果を奏する。また、壁ユニットは、石板やベニヤ板など外装材、内装材があらかじめ工場で組み付けることができ、壁ユニットごとを組み付ける場合の仕上げ作業もスムーズに行なえるという効果がある。更に、組立ハウス全体が一体化するため、通常の建物よりも強度的に極めて牽牛なものになるという効果も有る。
【発明を実施するための最良の形態】
【０００７】
以下、本発明に係る組立ハウスの実施の形態を図面に基づき詳しく説明する。本発明の組立ハウスは、ホテル等の宿泊施設、介護施設、社員寮、レンタル施設、倉庫、店舗等の建物に利用される。図１は組立ハウスの全体斜視図、図２は同平面断面図、図３は同一部の拡大側面断面図である。
【０００８】
本発明に係る組立ハウスＨは、例えば、複数に分割された壁ユニット１を基礎Ｋの上面に順に連接してドーム状に組み立てるようにしたものであり、例えば、組立ハウスＨの周囲の直径は７２００ｍｍ、高さは４５００ｍｍに設定され、平面円形状をなす。他に、組立ハウスＨは、平面三角形、平面四角形、平面五角形、平面六角形、平面七角形、平面八角形、更にはこれらより多い平面多角形状であっても組立可能である。また、側壁部が平面円形で屋根壁部が多角錐形状、側壁部が平面多角形で屋根壁部が円錐形状に組み立てられても良い。
【０００９】
壁ユニット１は、組立ハウスＨを平面的に見てその円周方向に１６等分したときのその一つにあたる。すなわち、図４に示すように壁ユニット１は、基礎Ｋの上面に立設される側壁部２と該側壁部２の上端部に軸着される屋根壁部３とからなる。前記分割方法は、１６等分に限らず、例えば１２等分、１４等分、１８等分、２０等分など自由に選択できる。
【００１０】
側壁部２は、立設したときの平断面が円弧状に湾曲している。そして、側壁部２は、図３に示すように鉄骨４により枠組され、内部に断熱材５が充填されると共に外面と内面にそれぞれ外鉄板６ａと内鉄板６ｂが張設されている。また、前記外鉄板６ａの表側に所定の隙間離して金網７が張設され、該金網７に凹凸部を前面に施した略方形状の石板８が適宜個所に複数枚装着される。これら石板８の裏面には、逆Ｕ字状の掛止具９が固着され、この掛止具９を金網７に掛止するようにしている。更に、各石板８と外鉄板６ａとの間を含め外鉄板６ａの表面にモルタル１０を塗着し、美的なデザインとなるようにしている。一方、内鉄板６ｂの裏面には、例えば内装材である化粧されたベニヤ板１１が張設される。この内装材は、他にベニヤ板１１の替わりにモルタルであっても良い。
【００１１】
側壁部２の下端面２ｂには、該下端面２ｂに沿って内側端縁が内鉄板６ｂよりも内方へ突出する固定板１２が固着される。この固定板１２の円周方向に沿った両側に、鉄骨４に開設された螺子挿通孔１３に連通する螺子挿通孔１４と、側壁部２より内側に位置する螺子挿通孔１５が貫設されている。
【００１２】
屋根壁部３は、平面が略三角形に成形されると共に上方へ膨出している。そして、この屋根壁部３も鉄骨４により枠組され、内部に断熱材５が充填されると共に外面と内面にそれぞれ外鉄板１６ａと内鉄板１６ｂが張設されている。外鉄板１６ａの表面は適宜色の塗料が塗着され、内鉄板１６ｂの裏面には化粧されたベニヤ板１７が張設される。
【００１３】
側壁部２の上端面２ａと屋根壁部３の下端面３ｂとは一対の蝶番１８，１８により連結される。この場合、側壁部２と屋根壁部３は断面形状が共に湾曲していることから、各蝶番１８の各取付板１８ａが互いに側壁部２の上端面２ａと屋根壁部３の下端面３ｂに固着される。しかも、各蝶番１８の軸部１８ｂは、屋根壁部３の回転中心軸線上に位置するようになっている。これにより、屋根壁部３が側壁部２に対し折畳み自在に軸着される。
【００１４】
前記側壁部２及び屋根壁部３の内面の周縁部には、鉄骨４に沿って隣り合う側壁部２同士及び屋根壁部３同士、側壁部２及び屋根壁部３とで互いに対応位置するようにして複数の開口部１９が設けられている。これら開口部１９に接する鉄骨４には、ボルト挿通孔２０が開設されている。これらボルト挿通孔２０は、基礎Ｋの据置部ｋ上面に側壁部２を固着するか、隣り合う側壁部２，２同士及び屋根壁部３，３同士、または、側壁部２と屋根壁部３とを互いに連結して固着するためである。これら開口部１９には蓋１９ａが着脱自在に嵌着できるようになっている。また、屋根壁部３の長手方向に沿った両側縁には、該側縁に沿って低い段差の段条２１，２１が設けられている。これは、繋ぎ目から雨水が侵入するのを防止するために後記するカバー部材２８を嵌入するためである。
【００１５】
前記壁ユニット１は、工場で側壁部２に屋根壁部３を軸着して製造され、組立ハウスＨが組み立てられる現場まで折り畳まれた状態でトラックに載せて輸送される。そして、現場の設置位置では屋根壁部３を図４実線に示す位置まで各蝶番１８を中心として回動させ、側壁部２の上端面２ａに屋根壁部３の下端面３ｂを当接させる。この際、図５に示すように側壁部２上端の両開口部１９，１９と屋根壁部３の下端の両開口部１９，１９とが合致し、各鉄骨４，４に貫通され連通する両ボルト挿通孔２０，２０にそれぞれ固着手段としてのボルト２５を挿通すると共に該ボルト２５に固着手段としてのナット２６を螺子締めする。これにより、側壁部２に屋根壁部３がしっかりと固着される。なお、このようなボルト２５、ナット２６を使用せずに、側壁部２と屋根壁部３との対向する鉄骨４，４をスポット溶接して固着するようにしても良い。
【００１６】
次に、前記壁ユニット１を起立させて、図３に示すように基礎Ｋにおける平面円形状の据置部ｋの上面に、無収縮モルタル２２を介して壁ユニット１を設置する。この際、据置部ｋの上面に突出する２本のアンカーボルト２３，２３を、側壁部２の下端面２ｂに開設された螺子挿通孔１３を含め前記固定板１２の両螺子挿通孔１４，１５に挿通し、各アンカーボルト２３にナット２４を螺子締めする。これにより、据置部ｋの上面に側壁部２が立設固定される。
【００１７】
続いて、前記壁ユニット１に隣接するようにして、次の壁ユニット１−１を据置部ｋの上面に配置し、前記と同様な作業を繰り返して壁ユニット１−１を立設固定する。更に、図６に示すように両壁ユニット１，１−１における隣り合う側端部の互いに合致する開口部１９，１９内で、各鉄骨４，４に貫設され互いに連通するボルト挿通孔２０，２０にボルト２５を挿通すると共に該ボルト２５にナット２６を螺子締めすることにより、互いの壁ユニット１，１−１が連結される。隣接する両壁ユニット１，１−１の側面間には、その長手方向に沿ってゴム板４４が介装されている。これは、雨水の侵入を防ぐことと気温の上下により鉄骨が伸縮するため、その伸縮を吸収するためである。
【００１８】
更にまた、壁ユニット１とこれと隣接する壁ユニット１−１との屋根壁部３，３の繋ぎ目には、各対向する段条２１により凹溝２７が成形され、該凹溝２７に帯板状のカバー部材２８が嵌着される。カバー部材２８は、裏面のゴム板２９と表面のステンレス板又は鉄板からなる帯板３０を貼り合せた二層構造をしており、凹溝２７に嵌入すると共に適宜位置に設けられたネジ３１を鉄骨４に設けられた螺子孔３２に螺合する。凹溝２７の底面の両側にもゴム板３３が貼着されている。これにより、その継目からの雨水の侵入が防止される。以後、同様な作業を繰り返して図７に示すように順に壁ユニット１−２，１−３…を組み立てる。
【００１９】
各壁ユニット１，１−１，１−２…における屋根壁部３，３…の上端部間には、円孔３４が開設され、この円孔３４に採光用の透明なガラス板３５が嵌着される。前記各壁ユニット１，１−１，１−２…の内、所定の壁ユニット、例えば、壁ユニット１−１３に扉３６が装着された入り口が設けられ、所定の壁ユニット１，１−５，１−１１に窓部材３７が装着されている。
【００２０】
また、床面に床材３８が敷設される。この床材３８は、その下面に鉄板３９が設けられると共に上面に暖房仕上げ材である複数枚の木板４０が敷設され、その間に断熱材４１が介装される。床材３８の周端部は、側壁部２の内側面に沿って設けられる所定高さの台枠４２に支持される。また、床材３８の中央側は、基礎Ｋ上面の適宜位置に複数本立設され、上下長さの調節自在な支持脚４３によって支持されるようになっている。
【００２１】
このように、本発明は、壁ユニット１，１−１，１−２…を側壁部２と屋根壁部３とに分割すると共に側壁部２の上端部に屋根壁部３を折畳み自在に軸着するようにしたので、壁ユニット１，１−１，１−２…がコンパクトに折畳めて小型化が可能になる。よって、施工に際し、壁ユニット１，１−１，１−２…を移動させるにも、扱い易くその取り扱いが容易になる。また、壁ユニット１，１−１，１−２…を折り畳んでおけば、その保管に広いスペースを必要とすることが無く、トラック輸送する場合も壁ユニット１，１−１，１−２…を小型化できて輸送効率が良くなる。
【００２２】
そして、本発明は石造り風のどっしりとした組立ハウスＨが組立てられる。最終的には、組立ハウスＨに水道や電気を引き込み、内部にトイレ、キッチン、洗面台、風呂等の生活に必要な設備が配置される。また、本発明の組立ハウスＨは、組立が簡単であると同時に分解も簡単であり、更に、基礎Ｋにボルト締めにより固着されているにすぎないことから、例えば他の場所に移転する場合も、簡単に分解できてその作業も楽である。
【００２３】
更に、本発明の組立ハウスＨでは、内部に支柱がいっさい無いことから、組立ハウスＨ内の間取りを設計する場合、邪魔するものが無く、組立ハウスＨ内の自由な設計が可能になる。また、本発明の組立ハウスＨは、側壁部２と屋根壁部３が一体に成形され、しかも壁ユニット１，１−１，１−２…がいずれもボルト締めによりしっかりと連結されることから、全体に強固な建物となる。
【図面の簡単な説明】
【００２４】
【図１】組立ハウスの全体斜視図。
【図２】同平面断面図。
【図３】同一部の拡大側面断面図。
【図４】壁ユニットの斜視図。
【図５】側壁部と屋根壁部との連結部の断面図。
【図６】隣接する屋根壁部の連結部の断面図。
【図７】組立ハウスの組立手順を説明する斜視図。
【符号の説明】
【００２５】
１            壁ユニット
１−１        壁ユニット
１−２        壁ユニット
２            側壁部
３            屋根壁部
２５          固着手段（ボルト）
２６          固着手段（ナット）
Ｈ            組立ハウス
Ｋ            基礎
【図１】
2005315025.tif 000003
【図２】
2005315025.tif 000004
【図３】
2005315025.tif 000005
【図４】
2005315025.tif 000006
【図５】
2005315025.tif 000007
【図６】
2005315025.tif 000008
【図７】
2005315025.tif 000009